(57)【要約】【課題】複数のＯＴＵ信号を簡易に多重し、様々なレートでの伝送を実現する。【解決手段】複数のＯＴＵ信号を多重して伝送する多重伝送システムであって、ＯＴＵ信号のうち、少なくとも１つのＯＴＵ信号のフレーム同期パターンを他のＯＴＵ信号のフレーム同期パターンと異なるパターンになるように変更するフレーム同期パターン変更手段と、ＯＴＵ信号それぞれに対してＭＬＤ処理を行い、ＭＬＤ処理を行った複数のＯＴＵ信号を所定のビット長毎に所定のレーン数に多重化した多重化信号を送信する送信手段と、多重化信号を受信し、フレーム同期パターンが異なるＯＴＵ信号に対してフレーム同期パターンを用いてフレーム同期を行い、多重化された所定のビット長毎に信号を分離し、分離された信号それぞれにＭＬＤ復元処理を行い、ＯＴＵ信号それぞれのフレーム同期パターンを元のパターンに復元することにより、元のＯＴＵ信号を復元する受信手段とを備える。【選択図】図１
2014220709.tif 000002
【特許請求の範囲】
【請求項１】
複数のＯＴＵ信号を多重して伝送する多重伝送システムであって、
前記ＯＴＵ信号のうち、少なくとも１つの前記ＯＴＵ信号のフレーム同期パターンを他のＯＴＵ信号の前記フレーム同期パターンと異なるパターンになるように変更するフレーム同期パターン変更手段と、
前記ＯＴＵ信号それぞれに対してＭＬＤ処理を行い、ＭＬＤ処理を行った複数の前記ＯＴＵ信号を所定のビット長毎に所定のレーン数に多重化した多重化信号を送信する送信手段と、
前記多重化信号を受信し、前記フレーム同期パターンが異なる前記ＯＴＵ信号に対して前記フレーム同期パターンを用いてフレーム同期を行い、多重化された前記所定のビット長毎に信号を分離し、分離された信号それぞれにＭＬＤ復元処理を行い、前記ＯＴＵ信号それぞれの前記フレーム同期パターンを元のパターンに復元することにより、元の前記ＯＴＵ信号を復元する受信手段と
を備えることを特徴とする多重伝送システム。
【請求項２】
前記フレーム同期パターン変更手段は、
信号論理が反転しても他のＯＴＵ信号の前記フレーム同期パターンと一致しないように前記フレーム同期パターンを変更することを特徴とする請求項１に記載の多重伝送システム。
【請求項３】
前記フレーム同期パターン変更手段は、
前記フレーム同期パターンの前半部分と後半部分を入れ替えることにより前記フレーム同期パターンを変更することを特徴とする請求項２に記載の多重伝送システム。
【請求項４】
前記送信手段は、
前記ＭＬＤ処理を行った前記ＯＴＵ信号のそれぞれが２つ以上のレーンに分配されるように多重化することを特徴とする請求項１から３のいずれか１項に記載の多重伝送システム。
【請求項５】
前記受信手段は、
受信した信号のフレーム同期を行う際に、他の前記ＯＴＵ信号のフレーム同期パターンとは異なるパターンを持つ前記ＯＴＵ信号の２つ以上に対して、フレーム同期を行い、１つ以上の前記ＯＴＵ信号のフレーム同期が取れている場合は所定のビット長毎に信号の分離を行うビット位相は変化させないことを特徴とする請求項１から４のいずれか１項に記載の多重伝送システム。
【請求項６】
前記送信手段は、
前記ＭＬＤ処理を行った複数の前記ＯＴＵ信号を多重化する前に、前記ＯＴＵ信号それぞれのフレーム位相を揃えることを特徴とする請求項１から５のいずれか１項に記載の多重伝送システム。
【請求項７】
前記送信手段は、
前記ＭＬＤ処理を行った複数の前記ＯＴＵ信号を多重化する前に、前記ＯＴＵ信号それぞれのマルチフレーム位相を揃えることを特徴とする請求項１から６のいずれか１項に記載の多重伝送システム。
【請求項８】
複数のＯＴＵ信号を多重して伝送する多重伝送システムが行う多重伝送方法であって、
前記ＯＴＵ信号のうち、少なくとも１つの前記ＯＴＵ信号のフレーム同期パターンを他のＯＴＵ信号の前記フレーム同期パターンと異なるパターンになるように変更するフレーム同期パターン変更ステップと、
前記ＯＴＵ信号それぞれに対してＭＬＤ処理を行い、ＭＬＤ処理を行った複数の前記ＯＴＵ信号を所定のビット長毎に所定のレーン数に多重化した多重化信号を送信する送信ステップと、
前記多重化信号を受信し、前記フレーム同期パターンが異なる前記ＯＴＵ信号に対して前記フレーム同期パターンを用いてフレーム同期を行い、多重化された前記所定のビット長毎に信号を分離し、分離された信号それぞれにＭＬＤ復元処理を行い、前記ＯＴＵ信号それぞれの前記フレーム同期パターンを元のパターンに復元する受信ステップと
を有することを特徴とする多重伝送方法。
【発明の詳細な説明】
【技術分野】
【０００１】
本発明は、複数のＯＴＵ信号を簡易に多重して伝送する多重伝送システム及び多重伝送方法に関する。
【背景技術】
【０００２】
ＩＴＵ−Ｔにおいて国際標準化されているＯｐｔｉｃａｌ  Ｔｒａｎｓｐｏｒｔ  Ｎｅｔｗｏｒｋ（ＯＴＮ）では、複数のＯＴＵｋ信号を多重して伝送する場合、各ＯＴＵｋ信号（ｋは１〜４）からＯＤＵｋ信号（ｋは１〜４）をデマッピングし、ＯＤＵｋ多重して、より高速なＯＴＵｋ信号を生成する。図３は、ＯＴＵｋとＯＤＵｋのフレーム構造、及び、ＯＤＵｋ多重方法を示す図である。ＯＴＵｋ信号はＯＴＵｋレイヤで終端され、ＯＤＵｋ信号が抽出される。抽出されたＯＤＵｋ信号は、より上位のＯＰＵｋペイロードに多重される。多重時には、Ａｓｙｎｃｈｒｏｎｏｕｓ  Ｍａｐｐｉｉｎｇ  Ｐｒｏｃｅｄｕｒｅ（ＡＭＰ）、もしくは、Ｇｅｎｅｒｉｃ  Ｍａｐｐｉｎｇ  Ｐｒｏｃｅｄｕｒｅ（ＧＭＰ）が用いられ、多重されるＯＤＵｋ信号とＯＰＵｋペイロードの周波数の差が吸収される。各ＯＤＵｋ信号が多重されたＯＰＵｋ信号は、ＯＤＵｋおよびＯＴＵｋ信号へマッピングされる。このように低速クライアント信号のパスを管理するＯＤＵｋ信号をオーバーヘッドを含めて多重して、より高速なパスを生成することで、詳細なパス管理が可能となり、柔軟なネットワーク運用が可能となる（例えば、非特許文献１参照）。
【先行技術文献】
【非特許文献】
【０００３】
【非特許文献１】ＩＴＵ−Ｔ  Ｇ．７０９「Interfaces for the Optical Transport Network(OTN)」
【発明の概要】
【発明が解決しようとする課題】
【０００４】
ＩＴＵ−Ｔにて国際標準化されたＯＴＮでは、現在２．５Ｇｂｐｓ級のＯＴＵ１から１００Ｇｂｐｓ級のＯＴＵ４までが規定されている。現在標準化されているＯＴＵ４よりも更に高速なレートで伝送を行う場合や標準化されている１０Ｇｂｐｓ級、４０Ｇｂｐｓ級、１００Ｇｂｐｓ級以外のレートで伝送を行う場合、現在の標準化されている多重化方式では対応ができない。デジタルコヒーレント光送受信方式では、変調方式をＢＰＳＫ、ＱＰＳＫ、１６ＱＡＭ、６４ＱＡＭなどを用いて、変調多値度を変えることで、伝送レートを増やすことが可能である。また、複数のサブキャリアをまとめるスーパーチャネル方式では、サブキャリア数を変えることで、伝送レートを増やすことが可能である。変調多値度やサブキャリア数による伝送レートの増加は、これまで標準化されてきているＯＴＮ多重化階梯の伝送レートの粒度（４倍もしくは２．５倍）よりも、小さい粒度で伝送レートが可変となる（伝送レートが２、３、４、・・・Ｎ倍）。
【０００５】
しかしながら、現在のＯＴＮ多重化方式では、このような伝送レートを小さい粒度で変更するリンク技術に対応できないという問題がある。
【０００６】
本発明は、このような事情に鑑みてなされたもので、複数のＯＴＵ信号を簡易に多重し、標準化で規定されていないレートも含めて、様々なレートでの伝送を実現することができる多重伝送システム及び多重伝送方法を提供することを目的とする。
【課題を解決するための手段】
【０００７】
本発明は、複数のＯＴＵ信号を多重して伝送する多重伝送システムであって、前記ＯＴＵ信号のうち、少なくとも１つの前記ＯＴＵ信号のフレーム同期パターンを他のＯＴＵ信号の前記フレーム同期パターンと異なるパターンになるように変更するフレーム同期パターン変更手段と、前記ＯＴＵ信号それぞれに対してＭＬＤ処理を行い、ＭＬＤ処理を行った複数の前記ＯＴＵ信号を所定のビット長毎に所定のレーン数に多重化した多重化信号を送信する送信手段と、前記多重化信号を受信し、前記フレーム同期パターンが異なる前記ＯＴＵ信号に対して前記フレーム同期パターンを用いてフレーム同期を行い、多重化された前記所定のビット長毎に信号を分離し、分離された信号それぞれにＭＬＤ復元処理を行い、前記ＯＴＵ信号それぞれの前記フレーム同期パターンを元のパターンに復元することにより、元の前記ＯＴＵ信号を復元する受信手段とを備えることを特徴とする。
【０００８】
本発明は、前記フレーム同期パターン変更手段は、信号論理が反転しても他のＯＴＵ信号の前記フレーム同期パターンと一致しないように前記フレーム同期パターンを変更することを特徴とする。
【０００９】
本発明は、前記フレーム同期パターン変更手段は、前記フレーム同期パターンの前半部分と後半部分を入れ替えることにより前記フレーム同期パターンを変更することを特徴とする。
【００１０】
本発明は、前記送信手段は、前記ＭＬＤ処理を行った前記ＯＴＵ信号のそれぞれが２つ以上のレーンに分配されるように多重化することを特徴とする。
【００１１】
本発明は、前記受信手段は、受信した信号のフレーム同期を行う際に、他の前記ＯＴＵ信号のフレーム同期パターンとは異なるパターンを持つ前記ＯＴＵ信号の２つ以上に対して、フレーム同期を行い、１つ以上の前記ＯＴＵ信号のフレーム同期が取れている場合は所定のビット長毎に信号の分離を行うビット位相は変化させないことを特徴とする。
【００１２】
本発明は、前記送信手段は、前記ＭＬＤ処理を行った複数の前記ＯＴＵ信号を多重化する前に、前記ＯＴＵ信号それぞれのフレーム位相を揃えることを特徴とする。
【００１３】
本発明は、前記送信手段は、前記ＭＬＤ処理を行った複数の前記ＯＴＵ信号を多重化する前に、前記ＯＴＵ信号それぞれのマルチフレーム位相を揃えることを特徴とする。
【００１４】
本発明は、複数のＯＴＵ信号を多重して伝送する多重伝送システムが行う多重伝送方法であって、前記ＯＴＵ信号のうち、少なくとも１つの前記ＯＴＵ信号のフレーム同期パターンを他のＯＴＵ信号の前記フレーム同期パターンと異なるパターンになるように変更するフレーム同期パターン変更ステップと、前記ＯＴＵ信号それぞれに対してＭＬＤ処理を行い、ＭＬＤ処理を行った複数の前記ＯＴＵ信号を所定のビット長毎に所定のレーン数に多重化した多重化信号を送信する送信ステップと、前記多重化信号を受信し、前記フレーム同期パターンが異なる前記ＯＴＵ信号に対して前記フレーム同期パターンを用いてフレーム同期を行い、多重化された前記所定のビット長毎に信号を分離し、分離された信号それぞれにＭＬＤ復元処理を行い、前記ＯＴＵ信号それぞれの前記フレーム同期パターンを元のパターンに復元する受信ステップとを有することを特徴とする。
【発明の効果】
【００１５】
本発明によれば、複数のＯＴＵ信号を簡易に多重し、標準化で規定されていないレートも含めて、様々なレートでの伝送を実現することができるという効果が得られる。
【図面の簡単な説明】
【００１６】
【図１】本発明の一実施形態の構成を示すブロック図である。
【図２】図１に示す信号処理部１３の動作を示す説明図である。
【図３】従来技術による多重化方式を示す説明図である。
【発明を実施するための形態】
【００１７】
以下、図面を参照して、本発明の一実施形態による多重伝送システムを説明する。図１は同実施形態の構成を示すブロック図である。この図において、符号１は、情報の送信を行うデジタルコヒーレント送信機である。符号２は、デジタルコヒーレント送信機１が送信した情報を受信するデジタルコヒーレント受信機である。符号３は、デジタルコヒーレント送信機１とデジタルコヒーレント受信機２との間を結ぶ伝送路である。伝送方式として、デジタルコヒーレント伝送方式を用いることにより、変調多値度を柔軟に変更することができ、様々な伝送レートに対応した多重伝送システムを実現できる。
【００１８】
符号１１、１２は、１００Ｇｂｐｓのクライアント信号から長距離光伝送用の統一信号フレーム形式（１００Ｇ  ＯＴＬ４．１０）に変換するフレーマである。ここでは、２チャネルのクライアント信号を入力する例を示している。入力するクライアント信号は、３チャネル以上であってもよく、その場合、入力するクライアント信号の数と同数のフレーマを設ければよい。
【００１９】
符号１３は、フレーマ１１、１２が出力した信号の信号処理を行う信号処理部である。符号１４１、１４２は、１００Ｇ  ＯＴＬ４．１０形式のそれぞれの信号に対してマルチレーン処理を行うマルチレーン処理部である。符号１５１、１５２は、マルチレーン処理された信号の誤り訂正を行うための誤り訂正符号化処理を行う誤り訂正部である。符号１６１、１６２は、Ｍｕｌｔｉ  Ｌａｎｅ  Ｄｉｓｔｒｉｂｕｔｉｏｎ（ＭＬＤ）処理を行うＭＬＤ処理部である。
【００２０】
なお、入力するクライアント信号の数が３以上である場合、入力するクライアント信号の数に応じて、信号処理部１３内のマルチレーン処理部、誤り訂正部、ＭＬＤ処理部を増設すればよい。
【００２１】
符号１７は、２チャネルの信号のうち、一方のチャネルの信号のフレーム同期パターン（ＦＡＳ：Ｆｒａｍｅ  Ａｌｉｇｎｍｅｎｔ  Ｓｉｇｎａｌ）を他方の信号のフレーム同期パターンと異なるパターンになるように変更するＦＡＳ変更部である。符号１８は、２チャネルの信号を多重化する多重化部である。なお、ＦＡＳ変更部１７は、多重化部１８による多重化後の信号に対してＦＡＳの変更を行うようにしてもよい。各チャネルのビット位置が分かっていれば、多重化後の信号に対してＦＡＳを変更することも可能である。
【００２２】
なお、デジタルコヒーレント送信機１及びデジタルコヒーレント受信機２の構成を図１を参照して説明するに際して、デジタルコヒーレント送信機及びデジタルコヒーレント受信機が普通に有する公知の機能・構成については、本発明の説明に直接関わりがない限り、その説明及び構成の図示を省略する。
【００２３】
次に、図１に示す多重伝送システムの動作を説明する。ここでは例として、１００Ｇｂｐｓ級のＯＴＵ４信号を２チャネル多重して、２００Ｇｂｐｓ級の偏波多重（ＤＰ）−１６ＱＡＭで伝送する場合の構成と信号処理を説明する。ＦＡＳ変更部１７は、複数のＯＴＵｋまたはＯＴＵｋＶ信号（以下、ＯＴＵｋまたはＯＴＵｋＶの信号を総称してＯＴＵ信号と称する）のフレーム同期パターン（ＦＡＳ）を少なくとも１つのＯＴＵ信号（例えば、１チャネル目のＯＴＵ信号）のフレーム同期パターンは他のＯＴＵ信号（例えば、２チャネル目のＯＴＵ信号）のフレーム同期パターンと異なるパターンになるように変更する。各ＯＴＵ信号に対してＭｕｌｔｉ  Ｌａｎｅ  Ｄｉｓｔｒｉｂｕｔｉｏｎ（ＭＬＤ）処理を行い、ＭＬＤ処理を行った複数のＯＴＵ信号を所定のビット長毎に伝送に必要なレーン数に時間多重する。所定のビット長とは、予め定められたビット長のことであり、１ビット、８ビット、６４ビット、１２８ビット等を選択して用いればよい。
【００２４】
ＦＡＳ変更部１７が、フレーム同期パターンを変更することで、時間多重後の信号パターンの中で、フレーム同期パターンが様々なタイミングで重複して現れることを防止し、デジタルコヒーレント受信機２側でのフレーム同期が可能となる。また、ＭＬＤ処理部１６１、１６２が行うＭＬＤ処理は、ＩＴＵ−Ｔ  Ｇ．７０９で標準化されているＯＴＬ３．４やＯＴＬ４．１０のように、所定のビット長毎に複数レーンにデータ信号を振り分け、且つ、フレーム毎にレーンの順番を回転させることで、レーン識別・並び替えやデスキューを実現する複数レーンへの分配処理のことである。
【００２５】
ＭＬＤ処理部１６１、１６２が標準に準拠したＭＬＤ処理を行うことで、電子回路で多重伝送方式を実現する際に、標準ＭＬＤ処理の回路を流用することが可能となる。但し、必ずしもＯＴＬ３．４，ＯＴＬ４．１０に準じたＭＬＤ処理である必要はない。デジタルコヒーレント受信機２側では、他のＯＴＵ信号のフレーム同期パターンとは異なるパターンを持つＯＴＵ信号に対してフレーム同期パターンを用いてフレーム同期を行い、多重した所定のビット長毎に信号を分離し、分離された信号それぞれで各信号に設定されたフレーム同期パターンを用いてフレーム同期を取り、ＭＬＤ復元処理を行い、各ＯＴＵ信号のフレーム同期パターンを元のパターンに書き換えて、元のＯＴＵ信号を復元する。
【００２６】
マルチレーン処理部１４１、１４２は、ＯＴＵ４信号のそれぞれに対して、１６バイト（所定のビット長が１２８）毎に４レーンにデータ分配する。データ分配する際のバイト数（ビット長）とレーン数は１６バイトと４レーンに限るものではない。そして、ＭＬＤ処理部１６１、１６２は、次のＯＴＵ４フレームの先頭でレーンの順番を回転させるＭＬＤ処理を行い、合計８レーンの信号を生成する。図２は、ＭＬＤ処理の一例を示す図である。図２（ａ）は、１チャネル目のＭＬＤ処理（ＭＬＤ処理部１６１が行う処理）によってレーンの順番を回転させた例であり、１チャネル目のＯＴＵ４信号が１６バイト毎に４レーンに分配される様子を示している。また、図２（ｂ）は、２チャネル目のＭＬＤ処理（ＭＬＤ処理部１６２が行う処理）によってレーンの順番を回転させた例であり、２チャネル目のＯＴＵ４信号が１６バイト毎に４レーンに分配される様子を示している。この際、フレーム同期パターンを２チャネルで一致しないよう変更する。２チャネル多重の場合はフレーム同期パターン変更は一方のチャネルのみでよい。
【００２７】
ここでは、所定のビット長として１６バイト（１２８ビット）の例を説明したが、１２８ビット以外のビット長を用いてもよい。ビット長は、長くするほど、遅延と実現する回路規模が大きくなるため、フレーム同期パターン（ＦＡＳ）を全て含むことができ、遅延と回路規模の関係から最適な値を選択すればよい。
【００２８】
また、４チャネル多重の場合は、フレーム同期パターンとして４種類の固定パターンＡ，Ｂ，Ｃ，Ｄを用意して各チャネルで用いてもよいし、２種類の固定パターンＡ，Ｂを用意して１チャネルは固定パターンＡを、他の３チャネルは固定パターンＢを用いてもよい。
【００２９】
多重化部１８は、ＭＬＤ処理された２チャネルの信号を１６バイト毎に時間多重し、４レーンのデータ信号を生成する（図２（ｃ）参照）。このとき、時間多重する単位や多重化の方式はチャネルで共通でなくてもよい。デジタルコヒーレント受信機２側では、一方のチャネルのフレーム同期パターン（フレーム同期パターン１）を用いて、各レーンのフレーム同期を確立し、１６バイト毎にデータを分離して、それぞれＭＬＤの復元処理（フレーム同期パターンの復元を含む）を行うことで、元のＯＴＵ４信号を復元する。
【００３０】
なお、チャネル分離前のフレーム同期は、複数チャネルのうち、いずれか１つのチャネルのフレーム同期パターンを用いて行うと説明したが、フレーム同期は、複数のチャネルのフレーム同期パターンを用いて行うようにしてもよい。
【００３１】
各チャネルのフレーム同期パターンがそれぞれ異なっている場合、フレーム同期は各チャネルで実施してもよい。この場合、一部のチャネルの信号が異常でフレーム同期が取れない場合でも、いずれかのチャネルが正常であれば、受信信号処理が可能となる。ここでは、２チャネルのフレーム位相が一致した場合のデータパターンを記載しているが、必ずしもフレーム位相は一致する必要はない。２チャネルのフレーム位相が一致していない場合、一方のチャネルのフレーム同期してチャネル分離後、他方のチャネルで改めてフレーム同期をとればよい。
【００３２】
また、フレーム位相が一致していれば、一方のフレーム同期が取れれば、他方のフレーム同期が取れるという利点を有している。また、フレーム位相を一致させた場合、２チャネル間の位相関係は特定状態（フレーム位相が一致している状態）しかなくなるため、電子回路への実装時に検証を簡素化できる利点がある。
【００３３】
２チャネル間の位相関係が任意の場合は、位相がずれた状態の多数の信号パターンに対して電子回路が正しく動作するか検証する必要がある。例えば、フレーム長が１００００ビットでフレーム位相が任意であれば、パターン数は１００００となるが、フレーム位相を一致させれば、パターン数は１となる。
【００３４】
誤り訂正部１５１、１５２は、複数のＯＴＵ信号の中のＯＤＵｋ／ＯＤＵｋＶ信号全体に対して誤り訂正符号化を行い、デジタルコヒーレント受信機２側では誤り訂正復号化を行う。伝送する全てのＯＴＵ信号を１つの信号として、誤り訂正処理することで、各伝送レーンのＢＥＲ特性を平均化することができ、特定の伝送レーン（例えば、サブキャリアの１つ等）でのＢＥＲ悪化の影響を平均化することができる。一方、各ＯＴＵ信号の中のＯＤＵｋ／ＯＤＵｋＶ信号それぞれに対して誤り訂正を行った場合、誤り訂正が入力ＢＥＲ劣化に伴って出力ＢＥＲが急激に劣化する傾向を持つため、特定の伝送レーンでＢＥＲ劣化が発生すると、その伝送レーンの誤り訂正後のＢＥＲが大きく劣化し、信号全体のＢＥＲも大きく劣化する。
【００３５】
なお、ＯＴＵ信号のフレーム同期パターン変更を、信号論理が反転しても他のＯＴＵ信号のフレーム同期パターンと一致しないようにしてもよい。ここでいう信号論理が反転しても他のＯＴＵ信号のフレーム同期パターンと一致しないようにするとは、例えば、論理反転した場合のフレーム同期パターンが他のフレーム同期パターンと一致しないか確認して、一致しないものを選択することである。これにより、デジタルコヒーレント光伝送方式における信号復調や光変復調用デバイスにおける論理反転などで信号論理が反転した場合でも、誤フレーム同期の発生を防止し、安定した分離処理を実現できる。
【００３６】
また、ＯＴＵ信号のフレーム同期パターン変更する際に、フレーム同期パターンの前半と後半を入れ替える処理を行うようにしてもよい。ＯＴＵ信号では、フレーム同期パターンは２種類のパターンＯＡ１，ＯＡ２から構成されている。ＯＡ１，ＯＡ２の順番を入れ替えて、ＯＡ２，ＯＡ１に変更することで、論理反転があっても元のＯＴＵ信号のフレーム同期パターン（ＯＡ１，ＯＡ２）に一致しないパターンを実現することが可能である。
【００３７】
また、ＭＬＤ処理を行った各ＯＴＵ信号が伝送に必要なレーンの２つ以上に分配されるよう所定のビット長毎に時間多重するようにしてもよい。例えば、送受信したいＯＴＵ信号が８チャネルで、伝送に必要なレーンが４レーンの場合（２５Ｇｂｐｓ  ＮＺＲ信号を４波のＷＤＭで伝送する場合）に、ＯＴＵ信号２チャネルを１レーンに多重することも可能であるが、１チャネルのＯＴＵ信号が少なくとも２つ以上の伝送レーンに分配するように多重する。これにより、各ＯＴＵ信号のＦＥＣが複数の伝送レーンに分配され、平均化されることで、特定の伝送レーン（例えば、サブキャリアの１つ等）でのＢＥＲ悪化の影響を平均化することができる。
【００３８】
また、伝送後の受信信号のフレーム同期を行う際に、他のＯＴＵ信号のフレーム同期パターンとは異なるパターンを持つＯＴＵ信号の２つ以上に対して、フレーム同期を行い、１つ以上のＯＴＵ信号のフレーム同期が取れている場合は所定のビット長毎に信号分離を行うビット位相は変化させずに、信号分離処理を行うようにしてもよい。例えば、受信信号を８ビット毎に４つの信号に分離する場合、４つの信号に分けるタイミング（ビット境界）を変えずに、信号分離処理を継続する。これにより、送信側でＯＴＵ信号の一部が信号断となっても、デジタルコヒーレント受信機２側でフレーム同期、信号分離処理が継続できる。
【００３９】
また、ＭＬＤ処理を行った複数のＯＴＵ信号を所定のビット長毎に多重する前に、各ＯＴＵ信号のフレーム位相もしくはマルチフレーム位相を揃えるようにしてもよい。この場合、複数のＯＴＵ信号のフレーム位相関係は特定状態しかなくなるため、電子回路への実装時に検証を簡素化できる。また、１つのレーンでフレーム同期が確立できると同時に、他のレーンのフレーム位相が特定されるため、信号分離後の各チャネルのフレーム同期処理を簡易化することができる。
【００４０】
また、ＭＬＤ処理を行った複数のＯＴＵ信号を所定のビット長毎に多重する前に、各ＯＴＵ信号のマルチフレーム位相を揃えるようにしてもよい。この場合、複数のＯＴＵ信号のマルチフレーム位相関係は特定状態しかなくなるため、電子回路への実装時に検証を簡素化できる。また、１つのレーンでフレーム同期、マルチフレーム同期が確立できると同時に、他のレーンのフレーム位相、マルチフレーム位相が特定されるため、信号分離後の各チャネルのフレーム同期、マルチフレーム同期の処理を簡易化することができる。
【００４１】
なお、前述した説明では、１００Ｇｂｐｓ級のＯＴＵ４信号を２チャネル多重して、２００Ｇｂｐｓ級の偏波多重（ＤＰ）−１６ＱＡＭで伝送する例を説明したが、１０Ｇｂｐｓ級、４０Ｇｂｐｓ級のＯＴＵ信号を多重化して２０Ｇｂｐｓ級、８０Ｇｂｐｓ級の転送としてもよい。さらに、多重化する数は２に限るものではなく、３以上であってもよい。
【００４２】
以上説明したように、デジタルコヒーレント送信機では、ＯＴＵ信号のうち、少なくとも１つのＯＴＵ信号のフレーム同期パターンを他のＯＴＵ信号の前記フレーム同期パターンと異なるパターンになるように変更し、ＭＬＤ処理を行った複数のＯＴＵ信号を所定のビット長毎に所定のレーン数に多重化した多重化信号を送信し、デジタルコヒーレント受信機では、フレーム同期パターンが異なるＯＴＵ信号に対してフレーム同期パターンを用いてフレーム同期を行い、多重化された所定のビット長毎に信号を分離し、分離された信号それぞれにＭＬＤ復元処理を行うことにより、ＯＴＵ信号それぞれのフレーム同期パターンを元のパターンに復元するようにした。これにより、標準化されている１０Ｇｂｐｓ級、４０Ｇｂｐｓ級、１００Ｇｂｐｓ級以外のレートも含む各チャネルのレートでフレーム同期を行うことが可能になるため、様々なレートでの伝送を実現する多重伝送システムを実現できる。
【００４３】
前述した実施形態におけるデジタルコヒーレント送信機１及びデジタルコヒーレント受信機３をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよく、ＰＬＤ（Programmable Logic Device）やＦＰＧＡ（Field Programmable Gate Array）等のハードウェアを用いて実現されるものであってもよい。
【００４４】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【産業上の利用可能性】
【００４５】
複数の信号を簡易に多重し、標準化で規定されていないレートも含めて、様々なレートでの伝送を実現することが不可欠な用途にも適用できる。
【符号の説明】
【００４６】
１・・・デジタルコヒーレント送信機、１１、１２・・・フレーマ、１３・・・信号処理部、１４１、１４２・・・マルチレーン処理部、１５１、１５２・・・誤り訂正部、１６１、１６２・・・ＭＬＤ処理部、１７・・・ＦＡＳ変更部、１８・・・多重化部、２・・・デジタルコヒーレント受信機、３・・・伝送路
【図１】
2014220709.tif 000003
【図２】
2014220709.tif 000004
【図３】
2014220709.tif 000005